(57)【要約】【課題】  情報表示信号の表示箇所に邪魔されることなくテレビ映像を快適に視聴するためのテレビジョン装置を提供する。【解決手段】  テレビジョン装置１００は、デジタル放送を映像コンテンツに係る映像コンテンツ信号と情報に係る情報信号とにそれぞれ分離出力するチューナ１１と、映像コンテンツ信号に対して所要の映像処理を施して得た映像信号を出力する映像処理回路１２と、外部から供給される表示動作制御信号及び表示動作制御信号に含まれる情報信号を選択する選択信号に応じてチューナから供給される情報信号を画面表示するための情報表示信号を出力する情報処理回路１３と、映像表示部と情報表示部とをそれぞれ独立して有する一体構造の表示パネル１とを有する。映像表示部２は、映像処理回路から出力される映像信号のみを、情報表示部３は情報処理回路から出力される情報表示信号のみを画面表示する。【選択図】      図１
2009218698.tif 000002
【特許請求の範囲】
【請求項１】
映像コンテンツと当該映像コンテンツに関する情報とを有する所望の放送チャネルのデジタル放送を受信し、受信して得た前記映像コンテンツと前記情報とをそれぞれ独立して画面表示するテレビジョン装置であって、
前記デジタル放送を受信して、前記映像コンテンツに係る映像コンテンツ信号と前記情報に係る情報信号とをそれぞれ分離出力するチューナと、
前記チューナから出力される前記映像コンテンツ信号に対して、所要の映像処理を施して得た映像信号を出力する映像処理回路と、
外部から供給される表示動作制御信号、及び、前記表示動作制御信号に含まれる前記情報信号を選択する信号に応じて前記チューナから供給される前記情報信号、を画面表示するための情報表示信号を出力する情報処理回路と、
映像表示部と、情報表示部とを、それぞれ独立して有する一体構造の表示パネルと、
を有し、
前記映像表示部は、前記映像処理回路から出力される前記映像信号のみを画面表示し、前記情報表示部は、前記情報処理回路から出力される前記情報表示信号のみを画面表示することを特徴とするテレビジョン装置。
【請求項２】
前記映像表示部は、デジタルハイビジョン放送規格のアスペクト比に準拠した映像を表示させる大きさの水平長及び垂直長を有し、
前記情報表示部は、前記映像表示部を垂直方向の上側又は下側に伸張した部分にあり、前記映像表示部の前記水平長と同じ長さの水平長で、かつ所定の垂直長を有することを特徴とする請求項１に記載のテレビジョン装置。
【請求項３】
前記情報表示部は、前記情報表示信号を表示させる際にのみ視認可能とする遮断手段を備えたことを特徴とする請求項１又は請求項２に記載のテレビジョン装置。
【請求項４】
前記遮断手段は、前記情報表示部の透過率を変更可能とし、前記透過率を上げることにより前記情報表示信号の視認を可能とし、前記透過率を下げることにより前記情報表示信号の視認を不可能とする構成であることを特徴とする請求項３に記載のテレビジョン装置。
【請求項５】
前記遮断手段は、前記情報表示信号の表示開始時に同期して前記情報表示部の透過率を上げるように制御を行い、前記情報表示信号の表示終了時に同期して前記情報表示部の透過率を下げるように制御を行うことを特徴とする請求項３又は請求項４に記載のテレビジョン装置。
【発明の詳細な説明】
【技術分野】
【０００１】
本発明は、映像信号に係る情報表示信号の表示箇所に邪魔されることなく、映像信号を快適に視聴するためのテレビジョン装置に関する。
【背景技術】
【０００２】
テレビジョン装置の画面上には、映像信号だけでなく、ユーザの制御動作状態を示す情報信号、グラフィカルインターフェース情報信号、又は視聴している番組の電子番組表等の情報信号である情報表示信号が表示され、ユーザは情報表示信号に従って各種設定を行ったり、動作情報を確認できる。一般的に情報表示信号は、テレビジョン装置にて表示される映像信号に重畳されて画面の一部にて表示され、覆われた箇所の表示映像が見にくくなるため、表示される映像信号に情報表示信号を重ねて半透過表示を行う手法や、表示される映像信号を縮小する等してテレビジョン装置の画面上に映像信号を表示しない映像非表示領域を作り出し、この領域に情報表示信号を表示させる手法が行われてきた。
【０００３】
この他、映像信号をテレビジョン装置画面に向かってその左又は右に寄せて表示し、表示しない余剰部分に情報表示箇所を設けることで、映像信号に重ねずに情報表示信号を表示する技術が開示されている（例えば、特許文献１参照）。
【特許文献１】特開２００３−３１９２７７号公報
【発明の開示】
【発明が解決しようとする課題】
【０００４】
しかしながら、映像信号に情報表示信号を重ねて半透過表示を行う手法は、情報表示信号が映像信号の一部を完全に隠してしまう問題を軽減するものではあるが、表示映像上に突然情報表示信号が重ねて表示されることには変わりがなく、視聴しずらいという問題があった。
【０００５】
また、映像信号を縮小して余った部分に情報表示領域を作り出す手法は、情報表示信号を表示するたびに映像の画面サイズが伸縮するため、ユーザがストレスを感じるという問題があった。
【０００６】
特許文献１のように、映像信号をテレビジョン装置の画面の左又は右に寄せ、余剰部分に情報表示信号を表示する箇所を設ける手法では、アスペクト比４：３の映像を表示する時には情報表示信号が映像と重ならずに表示できるものの、アスペクト比１６：９の映像信号では情報表示信号が重なってしまっていた。これは、現行のデジタル放送ではアスペクト比１６：９の映像信号が標準であることを考えれば情報表示信号が映像信号と重ならずに表示できる効果が少なく、また、アスペクト比４：３の映像信号とアスペクト比１６：９の映像信号とで情報表示信号の表示位置や表示方法が異なるのでは、ユーザにとって取り扱いに不便が生じていた。
【０００７】
本発明は上記の問題点を解決するためになされたものであり、映像信号と情報表示信号とを別々に表示し、視聴中に情報表示信号を表示させる際でも映像信号の画像サイズを変更させず、ユーザにとって情報表示の操作が簡便であるテレビジョン装置を提供することを目的とする。
【課題を解決するための手段】
【０００８】
本発明は、上記課題を解決するために、以下１）〜５）に記載の手段よりなる。
【０００９】
すなわち、
１）映像コンテンツ（映像信号）と当該映像コンテンツに関する情報とを有する所望の放送チャネルのデジタル放送を受信し、受信して得た前記映像コンテンツと前記情報とをそれぞれ独立して画面表示するテレビジョン装置１００であって、
前記デジタル放送を受信して、前記映像コンテンツに係る映像コンテンツ信号と前記情報に係る情報信号とをそれぞれ分離出力するチューナ１１と、
前記チューナ１１から出力される前記映像コンテンツ信号に対して、所要の映像処理を施して得た映像信号を出力する映像処理回路１２と、
外部から供給される表示動作制御信号、及び、前記表示動作制御信号に含まれる前記情報信号を選択する信号に応じて前記チューナから供給される前記情報信号、を画面表示するための情報表示信号を出力する情報処理回路と、
映像表示部２と、情報表示部（ＯＳＤ表示部）３とを、それぞれ独立して有する一体構造の表示パネル（表示デバイス）１と、
を有し、
前記映像表示部２は、前記映像処理回路１２から出力される前記映像信号のみを画面表示し、前記情報表示部３は、前記情報処理回路から出力される前記情報表示信号のみを画面表示することを特徴とするテレビジョン装置１００。
【００１０】
２）前記映像表示部は、デジタルハイビジョン放送規格のアスペクト比に準拠した映像を表示させる大きさの水平長及び垂直長を有し、
前記情報表示部は、前記映像表示部を垂直方向の上側又は下側に伸張した部分にあり、前記映像表示部の前記水平長と同じ長さの水平長で、かつ所定の垂直長を有することを特徴とする１）記載のテレビジョン装置。
【００１１】
３）前記情報表示部は、前記情報表示信号を表示させる際にのみ視認可能とする遮断手段を備えたことを特徴とする１）又は２）に記載のテレビジョン装置。
【００１２】
４）前記遮断手段は、前記情報表示部の透過率を変更可能とし、前記透過率を上げることにより前記情報表示信号の視認を可能とし、前記透過率を下げることにより前記情報表示信号の視認を不可能とする構成であることを特徴とする３）記載のテレビジョン装置。
【００１３】
５）前記遮断手段は、前記情報表示信号による情報の表示開始時に同期して前記情報表示部の透過率を上げるように制御を行い、前記情報表示信号による情報の表示終了時に同期して前記情報表示部の透過率を下げるように制御を行うことを特徴とする３）又は４）に記載のテレビジョン装置。
【発明の効果】
【００１４】
本発明のテレビジョン装置によると、画面の上下で、映像信号を表示する映像表示部と情報表示信号を表示する情報表示部とを完全に分離して配置することで、情報表示部に情報を表示する際に、映像の一部が覆われたり、画像サイズが変形等することがなく、ユーザは快適にテレビを視聴したり、情報表示信号に関わる操作をすることができる。
【００１５】
更に、情報表示部を半透過素材で覆い、情報表示信号を表示していない時にはこの半透過素材部分を表示しないように制御することにより、ユーザはより映像に集中することができる。
【発明を実施するための最良の形態】
【００１６】
以下、本発明の実施の形態に係るテレビジョン装置について説明する。尚、本発明の実施の形態において使用される機器、手法等は一例であり、本発明はこれらに限定されるものではないことは勿論である。
【００１７】
（第１の実施の形態）
（表示デバイス）
本発明の第１の実施の形態に係るテレビジョン装置１００の表示デバイス（表示パネル）１は、図１に示すように、デジタルハイビジョン放送規格のアスペクト比１６：９に準拠した映像を表示させる大きさの水平長及び垂直長を有する映像表示部２と、情報表示信号であるオンスクリーンディスプレイ（以下、ＯＳＤと略す）情報を表示するためのＯＳＤ表示部３を備える。
【００１８】
映像表示部２は、一例として、デジタルハイビジョン放送規格のアスペクト比１６：９に準拠した水平１９２０ピクセル×垂直１０８０ピクセルの映像を表示する。ＯＳＤ表示部３は、映像表示部２の画素情報を垂直方向に伸張したもので、一例として水平１９２０ピクセル×垂直１２０ピクセルの情報を表示する。
【００１９】
ＯＳＤ表示部３は、映像表示部２を垂直方向の上側又は下側に伸張した部分にあり、映像表示部２の水平長と同じ長さの水平長で、かつ所定の水平長を有する。ＯＳＤ表示部３における水平及び垂直長の数値限定は、水平方向の１９２０ピクセルは映像表示部２と一致させるためであり、垂直方向の１２０ピクセルは特に限定に意味はなく、ＯＳＤ情報を過不足なく表示させることができればよいものとする。ＯＳＤ表示部３の垂直方向の伸張比率をαとすると、表示デバイス１の大きさは以下の式にて定義される。
【００２０】
アスペクト比  １６：９＋α（０＜α＜３）・・・（式１）
尚、０＜α＜３の限定は、α＝０だとＯＳＤ表示部３を配置できず、α＝３だとアスペクト比が１６:１２、即ち４：３となり、地上放送用のディスプレイと同比率になるからである。これは現在市場に存在するディスプレイと合わせ、コストダウンを計るためであるが、ＯＳＤ表示部３に表示する情報量が多い場合等には、これより垂直に長い比率での表示デバイス１の製造も可能である。
【００２１】
表示デバイス１の映像表示部２及びＯＳＤ表示部３には、図３及び図４に示すように各々の映像及びＯＳＤ情報が表示される。
【００２２】
（テレビジョン装置の内部構成）
本発明の第１の実施の形態に係るテレビジョン装置１００は、図４に示すように、表示デバイス１、チューナ１１、映像処理回路１２、ＯＳＤ制御部１３、ＯＳＤ発生器１４および合成部１５等を備えている。
【００２３】
チューナ１１は、受信したデジタル放送から、映像コンテンツに係る映像コンテンツ信号と映像コンテンツに関する情報に係る情報信号とをそれぞれ分離出力する。つまりユーザ所望の放送番組の放送信号を受信し、受信した放送信号に含まれる映像信号を映像処理回路１２へ出力する。更にチューナ１１は、映像コンテンツに関する情報として電子番組表等の情報を受信する。
【００２４】
映像処理回路１２は、チューナ１１から出力する映像コンテンツ信号に対して、所要の映像処理を施して得た映像信号を出力する。所要の映像処理には、映像信号に対する輪郭強調、スケーリング及び色補正等がある。
【００２５】
ＯＳＤ制御部１３は、ＯＳＤ発生器１４の動作の制御や、ＯＳＤ発生器１４へ送信する情報の制御を行う。例えば、ユーザが操作するリモコン装置等からのリモコン信号を受けて、放送信号に付加されている映像コンテンツに関する情報をＯＳＤ発生器１４へ送信するよう制御する。又、ユーザが操作するリモコン装置等からのリモコン信号を受けて、表示デバイス１の画面の明るさ、音量調整等の操作の状態をユーザに表示するための表示動作制御信号をＯＳＤ発生器１４へ送信するよう制御する。
【００２６】
ＯＳＤ発生器１４は、リモコン装置等の外部から供給される表示動作制御信号、及びこの表示動作制御信号に含まれる映像コンテンツに関する情報信号を選択する信号に応じてチューナ１１から供給される映像コンテンツに関する情報信号を画面表示するための情報表示信号（ＯＳＤ情報）を出力する情報処理回路である。つまり、ＯＳＤ発生器１４は、ユーザのリモコン操作に応じてユーザ所望のチャンネルの電子番組表等を出力し、更にユーザのリモコン操作に応じて、音量・画面の明るさ等の表示動作制御等を出力する。これらの情報はＯＳＤ情報として生成される。
【００２７】
合成部１５はユーザが視聴する放送映像の映像信号と、その放送映像に関する電子番組表情報及びユーザの操作表示情報を示すＯＳＤ映像信号を受信する。ＯＳＤ発生器１４は、これらの放送映像信号とＯＳＤ映像信号に重畳処理または透過的な重畳処理を施し、アスペクト比１６:９の映像とアスペクト比１６:α（０＜α＜３）のＯＳＤ映像が複合された映像信号を生成する。表示デバイス１は、合成部１５から送信される映像信号を受信しこれを表示する。
【００２８】
以下、本発明の第１の実施の形態に係るテレビジョン装置１００の動作について説明する。
【００２９】
まずチューナ１１は図示しないアンテナ等を介して、ユーザが所望する放送番組の放送信号を受信し、受信した放送信号に含まれる映像信号を映像処理回路１２へ出力する。更にチューナ１１は、選択された放送信号に含まれる電子番組表等の情報を受信し、ＯＳＤ制御部１３へ出力する。
【００３０】
映像処理回路１２はチューナ１１より受信する映像信号に対して輪郭強調、スケーリング及び色補正等の映像処理を行う。映像処理がなされた映像信号は、合成部１５に送信される。
【００３１】
ＯＳＤ制御部１３は、チューナ１１より、ユーザ所望の放送信号に付加されている電子番組表情報を受信する。更にＯＳＤ制御部１３は、ユーザが操作するリモコン装置等を介して、表示デバイス１の画面の明るさ、音量調整等の操作の状態をユーザに表示するための操作表示情報を受信する。ＯＳＤ制御部１３は、これらの電子番組表情報および操作表示情報をＯＳＤ発生器１４へ送信する。
【００３２】
ＯＳＤ発生器１４は、ＯＳＤ制御部１３から送信された電子番組表情報および操作表示情報を基に、ＯＳＤ映像信号を生成する。生成されたＯＳＤ映像信号は合成部１５に送信される。合成部１５は、映像処理回路１２から送信される映像信号と、ＯＳＤ発生器１４から送信されるＯＳＤ映像信号を受信し、これらの映像信号を重畳又は透過的に重畳し、アスペクト比１６:９の映像とアスペクト比１６:α（０＜α＜３）のＯＳＤ情報が合成された映像信号を生成し、表示デバイス１へと出力する。表示デバイス１は、合成部１５より受信する映像信号を、ユーザに視聴可能に表示する。
【００３３】
本発明の第１の実施の形態に係るテレビジョン装置１００は、一般的なテレビジョンとシステム構成は同様であり、パネルの垂直画素が比率α分だけ増加しているに過ぎない。そのため、新たなハードウェアの追加は基本的には不要であるが、垂直画素が増えることで、システムクロックは上がることとなる。一般に、テレビジョンシステムのシステムクロック（ＣＬＫ）は、Ｈ：水平総画素数、Ｖ：垂直総画素数、Ｆ：フレーム周波数とすると、以下の式で定義される。
【００３４】
ＣＬＫ＝Ｈ×Ｖ×Ｆ・・・（式２）
一般的なハイビジョンテレビの場合ではＨ：２２００、Ｖ：１１２５、Ｆ：６０で、クロックは１４８．５ＭＨｚとなる。垂直方向の画素数が１０８０から１２００に１２０画素増えて、垂直総画素数も１２０画素分増えると仮定すると、システムクロックは１６４．３ＭＨｚに上がる。よって、このクロック周波数の上昇に見合うようにテレビシステム全体を設計・設定する必要がある。具体的には、映像処理ＬＳＩの動作周波数の上限を上げて設計する、電磁波の輻射の増加に対策する等の処理を行うが、上記表示パネルの場合、テレビジョンシステムのシステムクロックは数％上昇するにとどまり、コストの増大にはならない。
【００３５】
本発明の第１の実施の形態に係るテレビジョン装置１００の表示デバイス１として、水平１９２０×垂直１２００画素のパネルを例に取ったのは、現在市場に出回っているパーソナルコンピュータ用の表示装置としてこの画素構成のものが存在しているため、最も製品化が容易であり、市場のニーズに合っていると思われるためである。しかし、この画素構成以外の表示装置でも本発明は適用可能であり、ＯＳＤ情報の見やすさ、映像表示領域とＯＳＤ表示領域との面積のバランス、パネルのコスト、システムクロックなど各種の条件に応じてパネルの画素構成を選択することが可能である。
【００３６】
尚、図１、２，３ではＯＳＤ表示部３は映像表示部２の下部に配置されているが、これは映像表示部２の上部に配置されていても構わない。又、ＯＳＤ表示部３の位置をユーザが選択可能なように設計しても構わない。
【００３７】
（第２の実施の形態）
本発明の第１の実施の形態に係るテレビジョン装置１００にてユーザが放送映像を視聴する際、映像表示部２には放送映像が表示されるが、ＯＳＤ表示部３は、ＯＳＤ情報を表示しない場合は、例えば黒一色で表示される。ユーザが視聴する際にこの黒一色のＯＳＤ表示部３に対して違和感を覚えることが想定される。第２の実施の形態においては、この問題を解消するために、ＯＳＤ表示部３にＯＳＤ情報を表示させる際にのみ視認可能とする遮断手段（カバー）を設置し、ＯＳＤ情報を表示しない際にはＯＳＤ表示部３がテレビ画面枠に近い外観となるように配慮したテレビジョン装置２００について説明する。
【００３８】
（表示デバイス）
第２の実施の形態に係るテレビジョン装置２００の表示デバイス１は、図５に示すように、アスペクト比が１６：９の映像表示部２と、ＯＳＤ情報を表示するためのＯＳＤ表示部３を備え、更にＯＳＤ表示部３を覆う遮断手段として調光ガラス部４が設置されている。調光ガラス部４は、ガラスに調光材フィルムをラミネートしたものであり、透明導電性基材の端部より電圧を強弱してかけることによりガラスの透過率を電気的に制御できる。ＯＳＤ表示部３にＯＳＤ情報を表示しない時には調光ガラスの透過率を下げて、図６に示すように単なるカバー、つまり表示デバイス１のテレビ画面枠の一部であるような外観とする。ＯＳＤ表示部３にＯＳＤ情報を表示する時には調光ガラスの透過率を上げて透明又は透明に近い状態とし、図７に示すように下部のＯＳＤ表示部３に表示されるＯＳＤ情報をユーザに視聴可能にする。
【００３９】
（テレビジョン装置の内部構成）
本発明の第２の実施の形態に係るテレビジョン装置２００は、図８に示すように、表示デバイス１、調光ガラス部４、チューナ１１、映像処理回路１２、ＯＳＤ制御部１３、ＯＳＤ発生器１４ａ、合成部１５および電圧変換部１６等を備えている。
【００４０】
ＯＳＤ発生器１４ａは、ＯＳＤ制御部１３から送信された電子番組表情報および操作表示情報を基に、ＯＳＤ映像信号を生成する。生成されたＯＳＤ映像信号は合成部１５に送信される。更にＯＳＤ発生器１４ａは、ＯＳＤ情報の表示開始を知らせるための同期信号を電圧変換部１６に送信する。
【００４１】
電圧変換部１６は、調光ガラス部４の透明導電性基材端部のバスバーに接続され、調光ガラス部４に加える電気の入出力、および電圧の強弱を制御する。調光ガラス部４は、２枚のガラスの間に接着層を介して調光材フィルムを挟み込んだものである。この調光材フィルムは、例えば、透明導電層をコーティングした２枚のポリエチレンテレフタレートフィルム（ＰＥＴ）の間に配向粒子を分散させた数マイクロメータの液滴を配置し、電気信号の有無により粒子を配向させ、濃色から透明に切り替えるようにしたものである（日立化成テクニカルレポートＮｏ．４９（２００７−７）参照）。その他、液晶方式、エレクトロクロミック方式、サーモクロミック方式等により調光するようにしてもよい。その他の装置については第１の実施の形態と同様であるため説明を省略する。
【００４２】
図９は透過率と電圧制御の関係を示すグラフである。本発明の第２の実施の形態においては、調光ガラスは、無電圧時に透過率が最も低く、電圧を印加すると透過率が上昇する性質のものを使用する。
【００４３】
電圧制御の例としては、図９（ａ）のＯＳＤ情報を表示する期間に同期して、図９（ｂ）のように調光ガラスに電圧を印加する。すると調光ガラスの透過率は図９（ｃ）のように上昇し、透明状態となり、ユーザがＯＳＤ情報を視認することが可能となる。この際、印加する電圧は、ユーザにストレスを与えないように、ＯＳＤ情報の表示開始時に同期して緩やかに調光ガラスの透過率を上げるように、又ＯＳＤ情報の表示終了時に同期して緩やかに調光ガラスの透過率を下げるように制御を行ってもよい（図９（ｄ）参照）。
【００４４】
尚、調光ガラスは一例に過ぎず、この他電気的に透過率が制御可能な材質であればよいものとする。
【００４５】
以下、本発明の第２の実施の形態に係るテレビジョン装置２００の動作について説明する。
【００４６】
まずチューナ１１はユーザが所望する放送番組の放送信号を受信し、受信した放送信号に含まれる映像信号を映像処理回路１２へ出力する。更にチューナ１１は、選択された放送信号に含まれる電子番組表等の情報を受信し、ＯＳＤ制御部１３へ出力する。
【００４７】
映像処理回路１２はチューナ１１より受信する映像信号に対して輪郭強調、スケーリング及び色補正等の映像処理を行い、合成部１５に送信する。
【００４８】
ＯＳＤ制御部１３は、チューナ１１より電子番組表情報および操作の状態をユーザに表示するための操作表示情報を受信し、ＯＳＤ発生器１４へ送信する。
【００４９】
ＯＳＤ発生器１４は、ＯＳＤ制御部１３から送信された電子番組表情報および操作表示情報を基に、ＯＳＤ映像信号を生成する。生成されたＯＳＤ映像信号は合成部１５に送信される。更にＯＳＤ発生器１４は、ＯＳＤ映像信号を生成するのと同時に、調光ガラスの透過率を制御するための情報を電圧変換部１６へ送信する。電圧変換部１６はＯＳＤ発生器１４からの制御情報を受け、調光ガラス部４の透過率を変化させるための電圧を発生させる。調光ガラス部４は印加電圧の変化を受けて、ガラスの透過率を変化させる。例えば、ＯＳＤ情報を表示するのであれば、高い電圧印加により透明率を上げる。ＯＳＤ情報の表示を終了するのであれば、印加を停止し、透明率を下げる。
【００５０】
合成部１５は、映像処理回路１２から送信される映像信号と、ＯＳＤ発生器１４から送信されるＯＳＤ映像信号を受信し、これらの映像信号を重畳又は透過的に重畳し、複合された映像信号を生成し、表示デバイス１へと出力する。表示デバイス１は、合成部１５より受信する映像信号を、ユーザに視聴可能に表示する。
【００５１】
（変更例）
本発明の第２の実施の形態においては、透過率を電気的に変化させる材質でＯＳＤ表示領域を覆ったが、この他にも、透過率が固定された半透過性の材質を用いて、ＯＳＤ表示部３のカバーとしても構わない。例えばハーフミラーをＯＳＤ表示部３のカバーとして使用することも可能である。一般的に、透過率固定の素材は、透過率が変化する素材よりも安価であり、又電圧制御が不要であるため内部制御が簡単となる。
【００５２】
このように透過率固定の素材を用いることにより、外観上は図５の表示デバイス１ａとほぼ同様であるにもかかわらず、電圧制御不要で、より安価なテレビジョン装置の提供が可能となる。
【図面の簡単な説明】
【００５３】
【図１】本発明の第１の実施の形態に係るテレビジョン装置の表示デバイスの構成図である。
【図２】本発明の第１の実施の形態に係るテレビジョン装置の表示デバイスの構成図である。
【図３】本発明の第１の実施の形態に係るテレビジョン装置の表示デバイスの構成図である。
【図４】本発明の第１の実施の形態に係るテレビジョン装置のシステム構成図である。
【図５】本発明の第２の実施の形態に係るテレビジョン装置の表示デバイスの構成図である。
【図６】本発明の第２の実施の形態に係るテレビジョン装置の表示デバイスの構成図である。
【図７】本発明の第２の実施の形態に係るテレビジョン装置の表示デバイスの構成図である。
【図８】本発明の第２の実施の形態に係るテレビジョン装置のシステム構成図である。
【図９】調光ガラスの透過率及び電圧を制御の一例を示すグラフである。
【符号の説明】
【００５４】
１、１ａ…表示デバイス（表示パネル）
２…映像表示部
３…ＯＳＤ表示部（情報表示部）
４…調光ガラス部
８…調光ガラス
１１…チューナ
１２…映像処理回路
１３…ＯＳＤ制御部
１４、１４ａ…ＯＳＤ発生器
１５…合成部
１６…電圧変換部
１００、２００…テレビジョン装置
【図１】
2009218698.tif 000003
【図２】
2009218698.tif 000004
【図３】
2009218698.tif 000005
【図４】
2009218698.tif 000006
【図５】
2009218698.tif 000007
【図６】
2009218698.tif 000008
【図７】
2009218698.tif 000009
【図８】
2009218698.tif 000010
【図９】
2009218698.tif 000011